(57)【要約】【課題】遊技機において、遊技釘の頭部が前扉のガラスに当接することを確実に阻止する。【解決手段】打ち出された遊技球を案内するガイドレール７、８によって囲まれたほぼ円形の遊技領域９に遊技球の流下方向を変化させる多数の遊技釘が植設された遊技盤３と、ガラス５１が装着されるとともに遊技盤３に対して開閉自在に支持された額縁状の前扉５とを備えた弾球遊技機において、遊技盤３の盤面に、ガイドレール７、８よりも外側に、突起形状を有さない平面状の破損防止部材６０、６１、６２、６３を配置するとともに、破損防止部材６０、６１、６２、６３の前扉５に対向する前面部６０ｂ、６１ｂ、６２ｂ、６３ｂを、ガイドレール７、８及び遊技釘の頭部より前方へ突出させる。【選択図】  図２
2011131102.tif 000002
【特許請求の範囲】
【請求項１】
打ち出された遊技球を案内するガイドレールによって囲まれた遊技領域に遊技球の流下方向を変化させる多数の遊技釘が植設された遊技盤と、ガラスを装着し、かつ前記遊技盤の前面を開閉可能な前扉とを備えた弾球遊技機において、
前記遊技盤の盤面であって、前記ガイドレールよりも外側に、破損防止部材を配置するとともに、前記破損防止部材の前記前扉に対向し、かつ突起形状を有さない平面状の前面部を、前記ガイドレール及び前記遊技釘の前記ガラスに対向する頭部より前方へ突出させたことを特徴とする弾球技機。
【請求項２】
前記破損防止部材は、打ち出された遊技球を前記遊技領域に送り込む送出口の外周側に配置され、かつその前記破損防止部材の前記ガイドレールの外周面に対向する内側面部を、前記ガイドレールの前記外周面に近接または当接させたことを特徴とする請求項１記載の弾球遊技機。
【発明の詳細な説明】
【技術分野】
【０００１】
本発明は、多数の遊技釘が植設された遊技盤と、ガラスが装着されるとともに遊技盤に対して開閉自在に支持された額縁状の前扉とを備えた弾球遊技機に関する。
【背景技術】
【０００２】
弾球遊技機（パチンコ機）においては、発射装置により打ち出された遊技球を案内するガイドレールによって囲まれたほぼ円形の遊技領域を有する遊技盤と、ガラスが装着されるとともに遊技盤に対して開閉自在に支持された額縁状の前扉とを備え、遊技盤には、遊技領域に打ち込まれた遊技球の流下方向を変化させる多数の遊技釘が植設されている（例えば、特許文献１参照）。
【先行技術文献】
【特許文献】
【０００３】
【特許文献１】特開２００２−２８２４５３号公報
【発明の概要】
【発明が解決しようとする課題】
【０００４】
上述のような弾球遊技機においては、湿気、温度変化、特に遊技盤の裏面側に配置されて、遊技領域に演出図柄を表示させるための液晶表示器が発生する熱の影響によって、遊技盤が前後に反って、遊技釘の頭部と前扉のガラスの裏面との間の隙間が狭まって、前扉を閉じた際、ガラスの裏面が遊技釘の頭部に当接して、ガラスの破損を招くおそれがある。
【０００５】
本発明は、上述のような課題に鑑み、遊技釘の頭部が前扉のガラスに当接することを確実に阻止することができるようにした弾球遊技機を提供することを目的とする。
【課題を解決するための手段】
【０００６】
本発明によると、上記課題は、次のようにして解決される。
（１）打ち出された遊技球を案内するガイドレールによって囲まれた遊技領域に遊技球の流下方向を変化させる多数の遊技釘が植設された遊技盤と、ガラスを装着し、かつ前記遊技盤の前面を開閉可能な前扉とを備えた弾球遊技機において、前記遊技盤の盤面であって、前記ガイドレールよりも外側に、破損防止部材を配置するとともに、前記破損防止部材の前記前扉に対向し、かつ突起形状を有さない平面状の前面部を、前記ガイドレール及び前記遊技釘の前記ガラスに対向する頭部より前方へ突出させる。
【０００７】
（２）上記(１)項において、前記破損防止部材は、打ち出された遊技球を前記遊技領域に送り込む送出口の外周側に配置され、かつその前記破損防止部材の前記ガイドレールの外周面に対向する内側面部を、前記ガイドレールの前記外周面に近接させる。
【発明の効果】
【０００８】
本発明によれば、次のような効果が奏せられる。
請求項１記載の発明によると、遊技盤の盤面であって、ガイドレールよりも外側に破損防止部材を配置するとともに、破損防止部材の前扉に対向し、かつ突起形状を有さない平面状の前面部を、ガイドレール及び遊技釘のガラスに対向する頭部より前方へ突出させたことにより、例え、遊技釘の頭部が前扉の裏面に接近するように遊技盤が反っても、前扉を閉じた際、破損防止部材の突起形状を有さない平面状の前面部が、遊技釘の頭部より先に前扉に当接しうるとともに、前面部が突起形状を有さない平面状であることから、例えば、従来のように、突起状の前面部が点接触するよりも、接触範囲が広くなるため、遊技釘の頭部がガラスの裏面に直接当接することを確実に阻止して、ガラスの破損を確実に防止することができる。
【０００９】
請求項２記載の発明によると、破損防止部材は、打ち出された遊技球が遊技領域に送り込まれる送出口の外周側に配置され、かつその破損防止部材のガイドレールの外周面に対向する内側面部を、ガイドレールの外周面に近接または当接させたことにより、発射装置により打ち出された遊技球がガイドレールを転動して遊技領域に送り込まれる際、ガイドレールに対して外側に変形するような力が作用しても、ガイドレールの外周面が破損防止部材の内側面部に近接して当接することが可能であるため、ガイドレールが外側に変形することを防止することができる。
【図面の簡単な説明】
【００１０】
【図１】本発明の一実施形態を適用した弾球遊技機の正面図である。
【図２】前扉を開けた状態の弾球遊技機の正面図である。
【図３】弾球遊技機の分解斜視図である。
【図４】遊技盤の正面図である。
【図５】図４におけるＶーＶ線縦断面図である。
【図６】遊技盤の左上部の拡大正面図である。
【図７】図６におけるVII−VII線横断面図である。
【図８】遊技盤の裏面図である。
【図９】要部の分解斜視図である。
【図１０】斜め後方から見た表示枠部材の分解斜視図である。
【発明を実施するための形態】
【００１１】
以下、本発明の一実施形態を、図面に基づいて説明する。図１は、本発明の一実施形態を適用した弾球遊技機の正面図、図２は、前扉を開けた状態の弾球遊技機の正面図、図３は、弾球遊技機の分解斜視図、図４は、遊技盤の正面図、図５は、図４におけるＶーＶ線縦断面図、図６は、遊技盤の左上部の拡大正面図、図７は、図６におけるVII−VII線横断面図、図８は、遊技盤の裏面図、図９は、斜め後方から見た要部の分解斜視図、図１０は、斜め後方から見た表示枠部材の分解斜視図である。なお、以下の説明においては、図１、２における図面手前を「前方」とし、図面奥側を「後方」とし、左方を「左方」とし、右方を「右方」とする。
【００１２】
図１〜３に示すように、弾球遊技機１は、遊技店の遊技島に据え付けられる外枠２と、外枠２に嵌め込まれる遊技盤３と、外枠２、すなわち遊技盤３の左部に上下方向のヒンジ軸を有するヒンジ６により開閉可能に枢着された額縁状の前扉５とを備え、前面右下部に設けられたハンドル４ａを時計方向へ回転操作することにより、前扉５の下方に設けられた球貯留皿４ｂに貯留されている遊技球が図示略の発射装置から後述の遊技領域９に打出されて、所定の遊技を行うことができる。
【００１３】
前扉５は、合成樹脂製の枠部５２の内側に円形のガラス５１が嵌め込まれて形成され、閉じるとガラス５１を透して遊技領域９を視認することができるように遊技盤３の表面側を覆う。なお、ガラス５１は、前後２重に嵌め込まれるとともに、遊技領域９の形状、大きさとほぼ同一形状に形成される。
【００１４】
遊技盤３は、アクリル樹脂等の透明な合成樹脂板により正面視ほぼ方形に形成され、その盤面（表面）には、外側ガイドレール７及び内側ガイドレール８によって包囲される円形（楕円形を含む）の遊技領域９が形成される。ハンドル４ａの操作に基いて、発射装置から発射される遊技球は、ガイドレール７、８により案内されて遊技領域９に打出される。なお、遊技盤３は、完全な透明である必要はなく、後述の演出画像を透視でき得る程度の半透明であっても良いし、また、演出画像を表示させる領域のみを開口した不透明のものであっても良い。
【００１５】
主に図４に示すように、遊技盤３の遊技領域９には、遊技領域９に打出された遊技球の流下方向を規制する正面視ほぼ眉型の透明な合成樹脂製の球受誘導部材１０と、遊技領域９を流下する遊技球が通過可能な普通図柄作動ゲート１１と、遊技球が入球可能な入球口１２ａと、遊技球の流下方向を変化させる風車１３と、透明な合成樹脂製のステージ１４と、遊技球が入賞または入球可能な図柄始動口１５及び入賞口１２ｂ〜１２ｅと、遊技者にとって不利な第１状態（遊技球が実質的に入賞不能な閉鎖状態）及び遊技者にとって有利な第２状態（遊技球が入賞可能な開放状態）に遷移可能な入賞装置１６が配置されている。また、遊技領域９の最下部には、遊技領域９に打出された遊技球を遊技盤３の裏面側に排出するアウト口１７が設けられている。なお、球受誘導部材１０及びステージ１４は、完全な透明である必要はなく、演出画像を透視でき得る程度の半透明であっても良いし、不透明であっても良い。
【００１６】
なお、遊技領域９に打出された遊技球は、遊技盤３の遊技領域９に植設された多数の遊技釘４０に当接しながら遊技領域９を流下するが、遊技釘４０は、図６、７のみに示し、他の図面については図面簡素化のため省略してある。
【００１７】
遊技盤３の４隅、すなわち前扉５における枠部５２の隅部の裏面に対向する位置には、後述のように、遊技釘４０のガラス５１に対向する頭部がガラス５１の裏面に当接することを防止するための合成樹脂製で形成された破損防止部材６０,６１,６２,６３がそれぞれ配置されている。
【００１８】
左上部の破損防止部材６０は、発射装置により打ち出された遊技球を遊技領域９に送り込む送出口（外側ガイドレール７の内周面と内側ガイドレール８の左上端との間）７１が設けられた箇所の外側ガイドレール７の外周側に配置される。破損防止部材６０の外側ガイドレール７の外周面に対向する内側面部６０ａは、外側ガイドレール７の外周面に沿うような形状をなし、かつ近接または当接している。また、前扉５における枠部５２の裏面に対向する破損防止部材６０の前面部６０ｂは、図７に示すように、突起形状を有さない平面状であって、外側ガイドレール７、内側ガイドレール８及び遊技釘４０の頭部より前方へ突出し、かつ初期設定においては前扉５の枠部５２の裏面に当接または近接している。
【００１９】
右上部及び左、右下部の破損防止部材６１、６２、６３は、それぞれの内側面部６１ａ、６２ａ、６３ａがそれぞれの箇所で内側ガイドレール８の外周面に沿うように配置されるとともに、前扉５の枠部５２に対向するそれぞれの前面部６１ｂ、６２ｂ、６３ｂは、上述の左上部の破損防止部材６０と同様に外側ガイドレール７、内側ガイドレール８及び遊技釘４０の頭部より前方へ突出している。
【００２０】
上述の如く、各破損防止部材６０、６１、６２及び６３の各前面部６０ｂ、６１ｂ、６２ｂ及び６３ｂを、前扉５の枠部５２の裏面に当接可能としてあるため、遊技盤３における盤面と内側のガラス５１との間の間隔Ｌが規制される。これにより、遊技盤３が熱等の影響を受けて前後に反るように変形しても、遊技釘４０の頭部がガラス５１の裏面に当接することを阻止して、ガラス５１の破損を確実に防止することができる。
【００２１】
なお、本実施形態においては、各破損防止部材６０、６１、６２及び６３の各前面部６０ｂ、６１ｂ、６２ｂ及び６３ｂを、前扉５の枠部５２、すなわちガラス５１以外の箇所に当接させるようにしたが、本発明は、これに特定されるものでなく、各破損防止部材６０、６１、６２及び６３の各前面部６０ｂ、６１ｂ、６２ｂ及び６３ｂを、ガラス５１の裏面に当接させるようにしても良い。この場合には、各破損防止部材６０、６１、６２及び６３の各前面部６０ｂ、６１ｂ、６２ｂ及び６３ｂを、軟質の合成樹脂製により形成するのが好ましい。
【００２２】
ステージ１４は、遊技盤３のほぼ中央部に穿設された横長の開口３１を貫通して、遊技盤３の裏面側に突出するように取り付けられるとともに、上面には、遊技領域９を流下する遊技球のうち入球口１２ａに入球した遊技球を受け止めて、左右、前後に転動させ得るステージ部１４１が形成され、また、前面には、ステージ部１４１を転動した遊技球のうちステージ部１４１の中央部に設けられた遊技球落下部（図示略）に落下した遊技球を図柄始動口１５の真上に排出するための遊技球排出口１４３が形成されている。
【００２３】
図８、９に示すように、遊技盤３の裏面には、入球口１２ａに入球した遊技球をステージ１４のステージ部１４１上に誘導する透明な誘導路１８と、図柄始動口１５の下方に設けられた電動開閉部材（チューリップ）２７（図２〜４参照）及び入賞装置１６を開閉駆動させるソレノイド、センサ、リンク等により構成される駆動装置１９等の部品が取り付けられている。
【００２４】
入賞装置１６は、後述のように遊技が特定遊技状態となって第２状態に遷移すると、入賞装置１６内に設けた入賞センサ（図示略）が遊技球が１０個入賞したことを検知するか、または開放してから３０秒が経過すると閉鎖される。また開放している最中、入賞装置１６内に設けた特定領域センサ（図示略）が遊技球の入賞を検出した場合には、閉鎖後に再度開放する。これを最大１５回まで繰返し可能に設定してある。
【００２５】
遊技球が普通図柄作動ゲート１１を通過すると、所定の確率に基づいて、準特賞状態を生起するか否かが判定され、その判定の結果をもって、後述の遊技情報表示器２９の普通図柄表示部が変動し、その後に所定の図柄を確定表示させる。準特賞状態が生起されると、電動開閉部材２７が所定時間、開放する。
【００２６】
主に図３に示すように、遊技盤３の裏面側には、液晶ディスプレイ等により構成される演出表示装置２０が、遊技盤３の裏面から所定量離間した位置に配置される。なお、遊技盤３は、前扉３の裏面側に取り付けられ、演出表示装置２０は、外枠２側に取り付けられる。これにより、前扉５を閉じると、遊技盤３と演出表示装置２０は、互いに前後に重なり合う。
【００２７】
演出表示装置２０の横長矩形の表示部２０１（図３参照）には、遊技に関する演出画像及び数字や図柄等で構成される演出図柄が表示され、これらの画像及び図柄は、遊技盤３を透して遊技機１の前面から視認することができる。
【００２８】
表示装置２０は、表示部２０１の幅Ｗ１（図３参照）が遊技領域９の左右方向の幅Ｗ２（図４参照）とほぼ同一で、かつ高さＨ１（図３参照）が遊技領域９の高さＨ２より小さいものが用いられる。これにより、表示部２０１に表示される画像の４隅を除く部分を、遊技盤３を透して遊技領域９の幅一杯に表示させることができる。
【００２９】
また、円形の遊技領域９と矩形の表示部２０１とを前後に重なるように配置することによって、遊技盤３における遊技領域９と演出表示装置２０の表示部２０１とが前後に重畳する部分には、表示部２０１に表示された画像及び図柄が表示される表示可能領域９３（図８に斜線で示す領域）が形成され、遊技領域９内における表示部２０１の上側及び下側には、画像及び図柄が表示されない上、下の半月状の表示不能領域９１、９２が形成される（図４参照）。
【００３０】
演出表示装置２０は、表示部２０１の下縁が各入賞口１２ｂ〜１２ｅの位置にほぼ合致し、また、同じく上縁が眉型の球受誘導部材１０の頂上部１０ａより下方になるように配置される。
【００３１】
演出表示装置２０に表示される画像のうち遊技に関する数字や図柄等で構成される演出図柄は、表示可能領域９３内で、かつ遊技領域９における球受誘導部材１０とステージ１４との間に２点鎖線で示す演出図柄表示領域９４（図２、４参照）に変動表示される。
【００３２】
遊技領域９に打出された遊技球が図柄始動口１５に入賞すると、これを契機に所定の確率に基づいて、演出図柄が演出図柄表示領域９４内で変動表示した後、所定時間経過後、停止して確定表示される。そして、確定表示された演出図柄の組み合わせが、予め定められた表示態様、例えば、同一の数字や図柄が揃った場合には、特定遊技状態（所謂、大当り状態）を生起させ、入賞装置１６を第１状態から第２状態に遷移させ、遊技者に所定の遊技価値を付与するようになっている。
【００３３】
上側の表示不能領域９１は、遊技盤３の後方、すなわち遊技機１の内部が見えないように、後述の定形表示部材２８により隠蔽される。また、下側の表示不能領域９２及び遊技領域９から外れた領域は、遊技盤３を透して後方が視認できないように、表示枠部材２１により隠蔽される。
【００３４】
表示枠部材２１は、不透明（半透明を含む）の合成樹脂製で形成されるとともに、遊技盤３の裏面側と演出表示装置２０との間に介在され、表示可能領域９３の周囲を囲むような枠状をなし、表示部２０１の周囲と遊技盤３の裏面との間の隙間を遮蔽する上下及び左右の遮蔽部２１１、２１２、２１３，２１４が設けられている。
【００３５】
各遮蔽部２１１〜２１４の奥行寸法は、ステージ１４、誘導路１８、駆動装置１９のうち最も後方へ突出する突出量より大になるように設定される。これにより、演出表示装置２０を遊技盤３の裏面側に配置した際、各遮蔽部２１１〜２１４は、演出表示装置２０の表示部２０１をステージ１４、誘導路１８、駆動装置１９等に干渉させることなく、演出表示装置２０の表示部２０１と遊技盤３の裏面との間の隙間を遮蔽し、隙間から遊技機１の内部が露呈することを防止して、見栄えの向上を図ることができる。
【００３６】
上遮蔽部２１１を除く各遮蔽部２１２、２１３、２１４の前端には、遊技盤３における表示可能領域９３から外れた下及び左右の領域の後方が視認不能とする下及び左右の枠部２１６、２１７、２１８が連設されている。
【００３７】
なお、各遮蔽部２１１〜２１４の後端は、演出表示装置２０の前面との間に若干の隙間が生じるようにするか、または、ゴム、スポンジ等の緩衝材を介して、演出表示装置２０の前面に密接される。
【００３８】
下遮蔽部２１２の中央部には、駆動装置１９の左右及び上方を覆うように、上方へ隆起した隆起部２１２ａが形成されている。
【００３９】
表示枠部材２１における下枠部２１６には、各入賞口１２ｂ〜１２ｅに入賞した遊技球を下枠部２１６の裏面側に排出させる排出口２１６ａ〜２１６ｄ（図１０参照）が穿設されている。
【００４０】
各入賞口１２ｂ〜１２ｅ、図柄始動口１５、入賞装置１６及び電動開閉部材２７に入賞した遊技球は、それぞれのセンサにより検知されて、下枠部２１６の裏面側に配置される透明な遊技球通路２６を通って遊技機１の裏面に排出される。
【００４１】
主に図１０に示すように、表示枠部材２１における左、右の遮蔽部２１３、２１４の内側面には、必要に応じて、表示枠部材２１と異なる彩色、例えば表面にクロムメッキ等が施された左、右の装飾板２３、２４が着脱可能に取り付けられる。
【００４２】
表示枠部材２１における上遮蔽部２１１の前端には、上側の表示不能領域９１の後方が視認不能とするように遮蔽する正面視ほぼ横長矩形の定形表示部材２８が設けられる。
【００４３】
定形表示部材２８には、その後方が視認不能となるようにその表面または裏面に模様、色彩等が施されるとともに、機種名、大当りになる確率、賞球数等の機種に関連する機種情報２８１（２点鎖線で示す部分）が描画されている。
【００４４】
定形表示部材２８の裏面側には、表面に図示略の複数のＬＥＤまたはランプ等の発光体を実装した電装基板２５と、遊技中の遊技状態に関連する全ての遊技情報を表示するための図示略のＬＥＤ、７セグメントＬＥＤ及び基板等から構成される遊技情報表示器２９が配置される。
【００４５】
電装基板２５に実装された発光体が発光すると、その照明により、定形表示部材２８の裏面を照射して、特に、機種情報２８１が描画された部分を明るく照らすことによって、上側の表示不能領域９１に機種情報２８１を表示して遊技者に報知する。
【００４６】
遊技情報表示器２９は、遊技情報を定形表示部材２８に設けた開口または透明部分を透して、上側の表示不能領域９１内で、かつ球受誘導部材１０の頂上部１０ａの下方に、遊技盤３の前面から視認することができるように配置される。
【００４７】
遊技情報表示器２９には、図柄始動口１５に入賞したことを契機に変動して、入賞装置１６が第１状態から第２状態に遷移したか否かを報知するための数字または図形を表示する特別図柄の表示部と、始動入賞口１５に入賞した遊技球のうち未だ演出図柄及び特別図柄の変動表示に用いられていない遊技球の数を所定上限（例えば４個）保留球として表示する保留球の表示部と、入賞装置１６が第１状態に遷移したときの入賞装置１６の開閉処理回数を示す表示部と、遊技球が普通図柄作動ゲート１１を通過したことを契機に変動する普通図柄の表示部等の遊技中の遊技状態に関連する遊技情報を表示する表示部の全てが集中的に設けられている。
【００４８】
遊技領域９に打ち込まれた遊技球が図柄始動口１５に入賞すると、これを契機に演出図柄表示領域９４に表示されている演出図柄は、遊技情報表示器２９の特別図柄の表示部が変動を開始して停止するまでの間、特別図柄の表示部の変動と同期して、多彩な演出を伴った変動動作を行った後、所定時間経過後、停止して確定表示される。そして、確定表示された演出図柄の組み合わせが、予め定められた表示態様になった場合には、特定遊技状態を生起させ、入賞装置１６を第１状態から第２状態に遷移させ、遊技者に所定の遊技価値を付与するようになっている。
【００４９】
以上のように、本発明に係わる弾球遊技機においては、遊技盤３の盤面に、右上部の破損防止部材６０を外側ガイドレール７の外周、また、左上部及び左、右下部の破損防止部材６１及び６２、６３を内側ガイドレール８のそれぞれの外周の一部に沿うように配置するとともに、各破損防止部材の前扉５の枠部５２に対向する各前面部６０ｂ、６１ｂ、６２ｂ、６３ｂを、外側ガイドレール７、内側ガイドレール８及び遊技釘４０の頭部より前方に突出するようにしたことによって、例え、遊技釘４０の頭部が前扉５のガラス５１の裏面に接近するように、遊技盤３に反りが発生しても、前扉５を閉じた際、各破損防止部材６０、６１、６２、６３の前面部６０ｂ、６１ｂ、６２ｂ、６３ｂが、遊技釘４０の頭部より先に前扉５の枠部５２の裏面に当接するため、遊技釘４０の頭部がガラス５１の裏面に当接することを阻止して、ガラス５１の破損を確実に防止することができる。
【００５０】
また、右上部の破損防止部材６０を、発射装置により打ち出された遊技球を遊技領域９に送り込む送出口７１の外周側に配置するとともに、外側ガイドレール７の外周面に対向する破損防止部材６０の内側面部６０ａを、外側ガイドレール７の外周面に近接させたことにより、発射装置により打ち出された遊技球が外側ガイドレール７の内周面を転動して遊技領域９に送り込まれる際、遊技球が外側ガイドレール７の内周面を転動するときの遠心力で、外側ガイドレール７に外側に変形するような力が作用しても、外側ガイドレール７の外周面が破損防止部材６０の内側面部６０ａに当接することが可能であるため、外側ガイドレール７の外側への変形を阻止することができる。
【符号の説明】
【００５１】
１  弾球遊技機
２  外枠
３  遊技盤
４ａ  ハンドル
４ｂ  球貯留皿
５  前扉
６  ヒンジ
７  外側ガイドレール
８  内側ガイドレール
９  遊技領域
１０  球受誘導部材
１０ａ  頂上部
１１  普通図柄作動ゲート
１２ａ  入球口
１２ｂ,１２ｃ,１２ｄ,１２ｅ  入賞口
１３  風車
１４  ステージ
１５  図柄始動口
１６  入賞装置
１７  アウト口
１８  誘導路
１９  駆動装置
２０  演出表示装置
２１  表示枠部材
２３,２４  装飾板
２５  電装基板
２６  遊技球通路
２７  電動開閉部材（チューリップ）
２８  定形表示部材
２９  遊技情報表示器
３１  開口
４０  遊技釘
５１  ガラス
５２  枠部
６０,６１,６２,６３  破損防止部材
６０ａ,６１ａ,６２ａ,６３ａ  内側面部
６０ｂ,６１ｂ,６２ｂ,６３ｂ  前面部
７１  送出口
９１,９２  表示不能領域
９３  表示可能領域
９４  演出図柄表示領域
１４１  ステージ部
１４３  遊技球排出口
２０１  表示部
２１１  上遮蔽部
２１２  下遮蔽部
２１２ａ  隆起部
２１３  左遮蔽部
２１４  右遮蔽部
２１６  下枠部
２１６ａ,２１６ｂ,２１６ｃ,２１６ｄ  排出口
２１７  左枠部
２１８  右枠部
２８１  機種情報
【図１】
2011131102.tif 000003
【図２】
2011131102.tif 000004
【図３】
2011131102.tif 000005
【図４】
2011131102.tif 000006
【図５】
2011131102.tif 000007
【図６】
2011131102.tif 000008
【図７】
2011131102.tif 000009
【図８】
2011131102.tif 000010
【図９】
2011131102.tif 000011
【図１０】
2011131102.tif 000012